(57)【要約】  本発明による携帯端末は、マルチタスク機能とタスクアイコン表示部を備えた携帯端末であって、前記タスクアイコン表示部に１以上のタスクアイコンを表示する際にタスクの起動履歴順に前記１以上のタスクアイコンを表示する手段と、タスク切り替え移行時に表示中の１以上のタスクアイコンのうち、ユーザにより選択されたタスクのアイコンを強調表示する手段とを備える。
2008041628.tif 000002
【特許請求の範囲】
【請求項１】
マルチタスク機能とタスクアイコン表示部を備えた携帯端末であって、
前記タスクアイコン表示部に１以上のタスクアイコンを表示する際にタスクの起動履歴順に前記１以上のタスクアイコンを表示する手段と、
タスク切り替え移行時に表示中の１以上のタスクアイコンのうち、ユーザにより選択されたタスクのアイコンを強調表示する手段とを備えることを特徴とするマルチタスク機能つき携帯端末。
【請求項２】
前記強調表示されたタスクアイコンを選択することによって、その選択されたタスクに実行タスクを切り替え実行し、そのタスクアイコンを起動履歴の最新位置に移動することを特徴とする請求項１に記載のマルチタスク機能つき携帯端末。
【請求項３】
前記マルチタスク機能は、ツリー構造を有し、そのツリー構造の分岐元タスクアイコンに現在使用している又は過去に使用した分岐先のタスク機能を文字又は記号で表示することを特徴とする請求項１又は２に記載のマルチタスク機能つき携帯端末。
【請求項４】
マルチタスク機能つき携帯端末のタスクアイコン表示方法であって、
タスクアイコン表示部に１以上のタスクアイコンを表示する際にタスクの起動履歴順に前記１以上のタスクアイコンを表示するステップと、
タスク切り替え移行時に表示中の１以上のタスクアイコンのうち、ユーザにより選択されたタスクのアイコンを強調表示するステップとを含むことを特徴とするマルチタスク機能つき携帯端末のタスクアイコン表示方法。
【請求項５】
前記強調表示されたタスクアイコンを選択することによって、その選択されたタスクに実行タスクを切り替え実行し、そのタスクアイコンを起動履歴の最新位置に移動することを特徴とする請求項４に記載のマルチタスク機能つき携帯端末のタスクアイコン表示方法。
【請求項６】
前記マルチタスク機能は、ツリー構造を有し、そのツリー構造の分岐元タスクアイコンに現在使用している又は過去に使用した分岐先のタスク機能を文字又は記号で表示することを特徴とする請求項４又は５に記載のマルチタスク機能つき携帯端末のタスクアイコン表示方法。
【発明の詳細な説明】
【技術分野】
【０００１】
本願は、日本の特願２００６−２６８１０３号（２００６年９月２９日に出願）に基づいたものであり、又、特願２００６−２６８１０３号に基づくパリ条約の優先権を主張するものである。特願２００６−２６８１０３号の開示内容は、特願２００６−２６８１０３号を参照することにより本明細書に援用される。【０００２】
本発明は、マルチタスク機能つき携帯端末及びその携帯端末で行われるタスクアイコン表示方法に関する。
【背景技術】
【０００３】
従来、本願と関連した携帯端末でもマルチタスク機能が搭載されており、各タスクを実行する毎にタスクエリアにそのアイコンが表示される。ここで述べているマルチタスクとは、複数の機能を並行して実行できる機能であり、アクティブタスクとは、ユーザがマルチタスクを実行する場合に、現在使用中のタスクのことをさす。【０００４】
また、携帯機器において、複数のアプリケーション・ソフトウェアを起動して並行処理する場合、各アプリケーション・ソフトウェアへの表示切り替え操作を行うことができるタスクの表示切り替え方法がある（例えば、特許文献１参照）。
【特許文献１】特開２００３−１６２３５５号公報
【発明の開示】
【発明が解決しようとする課題】
【０００５】
しかしながら、本願と関連した携帯端末でタスク切り替えを行う場合、タスクエリア上に表示されているタスクアイコンは、現在使用中のタスクのアイコンを強調表示しており、ユーザにとってはタスク切り替えに手間取ることとなり不便である。【０００６】
そこで本発明は、携帯端末でマルチタスク機能を実行中に、タスク切り替えを行う場合、タスク切り替えの変更手順を減らすができるマルチタスク機能つき携帯端末およびその携帯端末で行われるタスクアイコン表示方法を提供することを目的とする。
【課題を解決するための手段】
【０００７】
本発明の第１の観点によれば、マルチタスク機能とタスクアイコン表示部を備えた携帯端末であって、前記タスクアイコン表示部に１以上のタスクアイコンを表示する際にタスクの起動履歴順に前記１以上のタスクアイコンを表示する手段と、タスク切り替え移行時に表示中の１以上のタスクアイコンのうち、ユーザにより選択されたタスクのアイコンを強調表示する手段とを備えることを特徴とするマルチタスク機能つき携帯端末が提供される。【０００８】
また、本発明の第２の観点によれば、マルチタスク機能つき携帯端末のタスクアイコン表示方法であって、タスクアイコン表示部に１以上のタスクアイコンを表示する際にタスクの起動履歴順に前記１以上のタスクアイコンを表示するステップと、タスク切り替え移行時に表示中の１以上のタスクアイコンのうち、ユーザにより選択されたタスクのアイコンを強調表示するステップとを含むことを特徴とするマルチタスク機能つき携帯端末のタスクアイコン表示方法が提供される。
【発明の効果】
【０００９】
本発明によれば、ユーザによるタスク切り替えの操作が容易となる。
【図面の簡単な説明】
【００１０】
【図１】本発明の実施形態によるマルチタスク機能つき携帯端末の概略構成図である。
【図２】本発明の実施形態による携帯端末の表示部に表示される画面の一例を示す図である。
【図３】本発明の実施形態によるツリー構造を有するマルチタスク機能の表示例を示す図である。
【図４】本発明の実施形態によるマルチタスク機能によるタスク切り替え動作の説明図である。
【符号の説明】
【００１１】
１０  携帯端末
２０  表示部
２１  メインエリア
２２  タスクエリア
２３  ソフトキーエリア
３０  マルチタスク処理部
【発明を実施するための最良の形態】
【００１２】
図１は、本発明によるマルチタスク機能つき携帯端末の概略構成を示す。携帯端末１０は、ＬＣＤ(Liquid Crystal Display)等による表示部２０、ＣＰＵ等を含むマルチタスク処理部３０を備える。マルチタスク処理部３０は、複数のタスクを起動して、起動した複数のタスクを並行して実行する機能を有する。マルチタスク処理部３０で実行できるタスクは、ミュージック、メール、Ｗｅｂ閲覧、ゲーム等のアプリケーション、カメラ機能を含むツール、電話帳、各機能の設定等である。【００１３】
図２は、携帯端末１０の表示部２０に表示される画面の一例を示す。タスクメニューや現在使用しているタスクの内容を表示するメインエリア２１、各タスクを実行する毎にそのタスクを示すアイコンを表示するタスクエリア（タスクアイコン表示部）２２、選択キーボタンなどを表示するソフトキーエリア２３にて構成されている。【００１４】
図３は、マルチタスク機能が、ツリー構造を有する場合の表示例を示す。図３（ａ）は、タスクメニューを表示した状態の表示部２０を示し、メニューの中に含まれるタスクのアイコン一覧が表示されている。一覧表示されているアイコンのうちのデータＢｏｘアイコンにカーソルを移動すると、データＢｏｘに含まれる各項目が吹き出しで表示される。その状態で選択ボタンを押すと、図３（ｂ）に示すように、吹き出し内にカーソルが表示され（図３（ｂ）では反転表示されている部分（「２：ミュージック」）がカーソルのある部分である。）、例えばミュージックにカーソルを移動して、選択ボタンを押すと、音楽プレイヤー機能が実行される。【００１５】
次に、図４を参照して、ユーザが携帯端末１０のマルチタスク機能を使用して、タスク切り替えを行う際の動作について説明する。【００１６】
図４（ａ）は、ユーザが、携帯端末１０の音楽プレイヤー機能にて音楽を聴いている時に、メールを受信し、音楽プレイヤーを終了せずにメールを見る機能を実行する場合を示す。メール機能がフォアグランドで実行されている間は、音楽プレイヤー機能は、一時停止となっている。表示部２０は、メインエリア２１に受信したメールを表示し、タスクエリア２２に現在使用中、前回使用というように起動履歴順にタスクアイコンを表示させ、メールのタスクアイコンと音楽プレイヤーのタスクアイコンを左から順に表示する（Ｓ１）。使用中のアクティブタスクには、吹き出しでそのタスク機能の名称「メール」が表示されている。【００１７】
ユーザが、携帯端末１０の入力部（図示省略）のボタン操作等によりタスク切り替え移行処理を行った場合（Ｓ２）、図４（ｂ）に示すように、表示部２０は、現在使用しているアクティブタスクアイコンではなく、左から２番目の前回使用したタスクアイコンを強調表示する（Ｓ３）。強調表示は、アイコンを大きくする、色を変える、文字を太くする、明るさを変える、吹き出しで表示する等がある。この例では、明るさを変えると共に吹き出しで「ミュージック」が表示されている。あるいは、そのタスクアイコンに記号（例えばミュージックの場合は音符など）を表示することによって強調することもできる。【００１８】
その状態でユーザがソフトキーエリア２３の選択ボタンを押すと（Ｓ４）、音楽プレイヤーモードに切り替え実行され、図４（ｃ）に示すように、メインエリア２１に音楽プレイヤーを表示し、タスクエリア２２のアクティブタスクアイコン（ミュージックのアイコン）を一番左へ移動させて表示する（Ｓ５）。【００１９】
このように、本発明では、表示部２０のタスクエリア２２に表示中のタスクアイコンについて、タスク切り替え移行時においては、使用中のアクティブタスクではなく、前回使用したタスクのアイコンをデフォルトで強調表示することによって、タスク切り替えの変更手順を減らすことができる。
【産業上の利用可能性】
【００２０】
本発明は、マルチタスク機能を有する携帯電話端末、ＰＨＳ(Personal Handy Phone)、ＰＤＡ(Personal Digital Assistant)などの画面が小さく、限られた表示エリアしか有さない携帯端末装置に適用することにより、携帯端末装置の使い勝手をよくすることができる。【００２１】
本発明の代表的な実施形態が詳細に述べられたが、様々な変更(changes)、置き換え(substitutions)及び選択(alternatives)が請求項で定義された発明の精神と範囲から逸脱することなくなされることが理解されるべきである。また、仮にクレームが出願手続きにおいて補正されたとしても、クレームされた発明の均等の範囲は維持されるものと発明者は意図する。
【図１】
2008041628.tif 000003
【図２】
2008041628.tif 000004
【図３】
2008041628.tif 000005
【図４】
2008041628.tif 000006
【国際調査報告】
2008041628.tif 000007
2008041628.tif 000008
2008041628.tif 000009